(57)【要約】【課題】簡明な機構により移動体を途中から付勢力で引き込むようにする。【解決手段】引出体８を本体７の第１位置から第２位置に切り換える操作を助ける引込機構において、本体７に対し引出体と同方向へ摺動可能に配置される保持枠３と、保持枠３を付勢力により摺動する付勢手段１６と、保持枠内で互いに作動連結されているとともに、引出体等で押されて摺動されるボタン４及び、該ボタンの摺動と連動して保持枠内に先端爪部５３を退行した状態で本体側に係止される第１姿勢から先端爪部５３を保持枠３より突出した状態で前記係止が解除される第２姿勢に切り換えられるラッチ５とを備え、引出体８を、第２位置の途中まで摺動すると、ボタン４が引出体等で押されるのと連動して、ラッチ５が第１姿勢から第２姿勢に切り換えられ、その先端爪部５３に対し該移動体側の連結部９ｂが係合し、かつ保持枠３の付勢手段１６を介した摺動によって第２位置に引き込む。【選択図】図４
2008125999.tif 000002
【特許請求の範囲】
【請求項１】
移動体を本体の第１位置から第２位置又は第２位置から第１位置に切り換える操作を助ける引込機構において、
前記本体に対し前記移動体と同方向へ摺動可能に配置される保持枠と、前記保持枠を付勢力により摺動する付勢手段と、前記保持枠内で互い作動連結されているとともに、移動体等で押されて摺動されるボタン及び、該ボタンの摺動と連動して前記保持枠内に先端爪部を退行した状態で前記本体側に係止される第１姿勢から前記先端爪部を保持枠より突出した状態で前記係止が解除される第２姿勢に切り換えられるラッチとを備え、
前記移動体を、第２位置又は第１位置の途中まで摺動すると、前記ボタンが該移動体等で押されるのと連動して、前記ラッチが第１姿勢から第２姿勢に切り換えられ、その先端爪部に対し該移動体に設けられた連結部が係合し、かつ前記保持枠の前記付勢手段を介した摺動によって第２位置又は第１位置に引き込むことを特徴とする引込機構。
【請求項２】
前記保持枠と前記ボタン及び前記ラッチ並びに前記付勢手段がケースに配置されて引込ユニットとして構成され、前記本体側に前記ケースを介して取り付けられることを特徴とする請求項１に記載の引込機構。
【請求項３】
前記ケースは、前記ラッチを第１姿勢で係止する係合孔と、前記ラッチが第２姿勢で保持枠と共に前記付勢手段により引き込まれた状態で該ラッチの揺動を許容して前記連結部と係合可能にする誤作動修復用の弾性変位部とを有していることを特徴とする請求項２に記載の引込機構。
【請求項４】
前記保持枠内に設けられて前記ラッチを第１姿勢となるよう付勢している付勢部材を有していることを特徴とする請求項１から３の何れかに記載の引込機構。
【請求項５】
前記移動体の摺動速度を前記保持枠を介して制動する制動手段を有していることを特徴とする請求項１から４の何れかに記載の引込機構。
【請求項６】
前記本体に設けられた固定レールと、前記移動体に設けられている可動レールとを有しているとともに、前記固定レールに前記引込ユニットを設け、前記可動レールに前記連結部を設けることを特徴とする請求項２に記載の引込機構。
【発明の詳細な説明】
【技術分野】
【０００１】
本発明は、各種の移動体を本体の第１位置又は第２位置に切り換える操作を助ける引込機構に関する。
【背景技術】
【０００２】
図７は特許文献１の引込機構を示し、（ａ）は図示しない移動体が引き込まれた引込位置、（ｂ）は引き出された引出位置での模式図である。符号５０は本体の側壁、符号５５は移動体側の駆動ピン、符号６０は本体側壁と移動体との間に配置された傾斜部分、符号６５はばね部材である。本体側壁５０には、前後方向へ水平に延びる真っ直ぐな部分５１ａと、前方（図の右側）の弓形部分５１ｂとから構成された案内トラック５１が設けられている。傾斜部分６０は、上解放したスロット６１及びスロット６１の前側から延びている斜めの側壁６２を有し、ボルト６３，６３を案内トラック５１に嵌合している。ばね部材６５は、本体側に一端を係止し、他端を傾斜部分６０に係止した状態で、移動体が引込位置から引出方向へ摺動される過程で付勢力を蓄積する。
【０００３】
そして、移動体は、本体側に対し駆動ピン５５をスロット６１に嵌合した状態で組み込まれる。移動体が引出方向へ摺動されるときは、傾斜部分６０が案内トラック５１の真っ直ぐな部分５１ａに沿って動かされた後、弓形部分５１ｂで前方へ傾斜され、かつ駆動ピン５５がスロット６１から斜めの側壁６２に動く。これにより、移動体５１は、ばね部材６５の付勢力に抗して引出位置に係止されると共に、後方へ押されることで駆動ピン５５を斜めの壁部６２からスロット６１に戻した後、ばね部材６５に蓄積された付勢力で引き込まれる。なお、特許文献１では、移動体５１がばね部材６５の付勢力で引込方向へ摺動されるようにして、例えば、移動体が強く引き込まれたときにバウンドして再び引き出される虞を解消している。
【０００４】
【特許文献１】特公平５−０２３７６３号公報
【発明の開示】
【発明が解決しようとする課題】
【０００５】
上記した従来構造では、例えば、移動体が引出位置から引込方向へはほぼ全て自動で摺動されるが、その分だけ引込位置から引出方向へは強い引き操作力が必要となり使い勝手が悪くなる。また、移動体をばね部材６５の付勢力に抗して係止するロック機構として、駆動ピン５５を傾斜部材６０の前傾斜によりスロット６１から抜け出るようにし、斜めの側壁６２に係合するため、係合力が弱く、振動等によって係止解除される虞がある。傾斜部材６０に設けられたスロット６１の開口は、移動体（駆動ピン５５）の引出操作時にばね部材６５の負荷を受けるため駆動ピン５５とのロック代を大きくしたいが、傾斜部材６０の前傾斜に伴う駆動ピン５５の係合解除も損なわないようにしなければならないため制約される。
【０００６】
なお、本出願人らは以上のような背景から、特開平２００５−２７９０１８や特開２００６−２６３３０等に示されるような構造を提案してきたが、それらは引込及び引出機構の両方を兼ね備えているため複雑で経費増になる虞があった。そこで、本発明の目的は、簡明な機構により移動体を途中から付勢力で引き込むようにして、移動体を勢いよく押し込めるときの跳ね返りの虞と、移動体を最後まで摺動しない不完全状態を解消したり、切換操作性を良好にすることにある。
【課題を解決するための手段】
【０００７】
上記した目的を達成するため本発明は、移動体を本体の第１位置から第２位置又は第２位置から第１位置に切り換える操作を助ける引込機構において、前記本体に対し前記移動体と同方向へ摺動可能に配置される保持枠と、前記保持枠を付勢力により摺動する付勢手段と、前記保持枠内で互いに作動連結されているとともに、移動体等で押されて摺動されるボタン及び、該ボタンの摺動と連動して前記保持枠内に先端爪部を退行した状態で前記本体側（請求項２の場合はケース又は本体及びケース）に係止される第１姿勢から前記先端爪部を前記保持枠より突出した状態で前記係止が解除される第２姿勢に切り換えられるラッチとを備え、前記移動体を、第２位置又は第１位置の途中まで摺動すると、前記ボタンが該移動体等で押されるのと連動して、前記ラッチが第１姿勢から第２姿勢に切り換えられ、その先端爪部に対し該移動体に設けられた連結部が係合し、かつ前記保持枠の前記付勢手段を介した摺動によって第２位置又は第１位置に引き込むことを特徴としている。
【０００８】
以上の引込機構において、移動体は、第１位置（又は第２位置）の途中まで摺動操作されると、ラッチが移動体等で押されるボタンを介して第１姿勢から第２姿勢、つまりその先端爪部を保持枠より突出して移動体の連結部と係合し、かつ本体側に対する係止を解除するため、後は付勢手段で摺動される保持枠と共に第１位置（又は第２位置）まで引き込まれる。また、移動体は、付勢手段の付勢力に抗して（付勢力を蓄積しながら）第１位置から第２位置の途中まで摺動操作されると、ラッチが第２姿勢から第１姿勢、つまりその先端爪部を保持枠内に退行して移動体側の連結部との係合を解除し、かつ本体側に対して係止されるため、後はラッチ及び保持枠と関係なく単独で第２位置へ摺動操作される。なお、第２位置は、移動体がトレーや引出体であれば、本体から引き出された引出位置又は押入位置で、第１位置は逆に押入位置又は引出位置である。
【０００９】
以上の本発明は次のように具体化されることがより好ましい。
（１）前記保持枠と前記ボタン及び前記ラッチ並びに前記付勢手段がケースに配置されて引込ユニットとして構成され、前記本体側に前記ケースを介して取り付けられることである（請求項２）。
（２）前記ケースは、前記ラッチを第１姿勢で係止する係合孔と、前記ラッチが第２姿勢で保持枠と共に前記付勢手段により引き込まれた状態で該ラッチの揺動を許容にして前記連結部と係合可能にする誤作動修復用の弾性変位部とを有していることである（請求項３）。
（３）前記保持枠内に設けられて前記ラッチを第１姿勢となるよう付勢している付勢部材を有していることである（請求項４）。
（４）前記移動体の摺動速度を前記保持枠を介して制動する制動手段を有していることである（請求項５）。この場合は、前記制動手段がピストン式ダンパー、前記付勢手段がコイルばねであるとともに、前記ピストン式ダンパーと前記コイルばねとが略並行に配置されていることが好ましい。
（５）前記本体に設けられた固定レールと、前記移動体に設けられて前記固定レールと嵌合している可動レールとを有しているとともに、前記固定レールに前記引込ユニットを設け、前記可動レールに前記連結部を設けることである（請求項６）。
【発明の効果】
【００１０】
請求項１の発明では、引込機構として、移動体等で押されるボタンと、ボタンにより第１姿勢と第２姿勢とに切り換えられるラッチと、ボタン及びラッチを配置している保持枠と、保持枠を移動体の引き込み方向へ付勢している付勢手段とからなり、ボタン及びラッチが保持枠内で作動連結（保持枠内で連携されていること）されて、例えば、ボタンが移動体と同方向に配置され、ラッチが該ボタンと垂直方向に動いて第１姿勢と第２姿勢を切り換えるという関係となるため簡明であり、誤作動を生じ難く安定した作動が得られる。
【００１１】
請求項２の発明では、引込ユニットとして構成されているため取扱性や本体への取付性等に優れている。また、請求項３の発明では、ケースが係合孔と共に誤作動修復用の弾性変位部を有しているため、移動体と関係なく、ラッチが保持枠と共に付勢手段により引き込まれても、移動体をその引き込み方向へ摺動操作すると、ラッチが弾性変位部を介して第２姿勢から一旦第１姿勢となって移動体の連結部と係合して正規の状態に修復される。これにより、引込機構のトラブルをなくして品質を向上できる。
【００１２】
請求項４の発明では、付勢部材の付勢力によりラッチを第１姿勢に保ったり、第２姿勢から第１姿勢に切り換えられるようにして、ラッチの姿勢切り換えに起因する誤作動の発生を確実に防ぐことができる。請求項５の発明では、移動体を保持枠及び付勢手段の付勢力により摺動するが、その際、制動手段で制動された低速で移動体を引き込むため高級感を付与でき、しかも衝突音の発生も防止できる。この場合、制動手段としてピストン式ダンパーを使用し、付勢手段としてコイルばねと並行に配置することで全体の幅寸法を抑えることができる。
【００１３】
請求項６の発明では、請求項２の引込ユニットを固定レールに設け、可動レールに前記係合部を設けるため、本発明の引込機構を移動体及び本体に関係なくレール側に組み込むことができる。
【発明を実施するための最良の形態】
【００１４】
本発明の形態例を図面を参照しながら説明する。図１は本発明の用途例と引込ユニットを示し、図２及び図３は引込ユニットを引込前と引込後の状態で示し、図４は要部作動を示し、図５と図６は保持枠とボタンとラッチ及び付勢部材の関係を示す図である。以下の説明では、機構特徴、組立、作動の順に詳述する。
【００１５】
（機構特徴）形態例の引込機構は、本体７側に取り付けられる引込ユニット１に対し移動体である引出体８側に設けられる連結板９を係脱する。本体７は、図１（ａ）に示されるような引出体８を出し入れする収納空間を有した机や複写機等の機器本体を想定している。また、引出体８は、本体７の収納空間に対し両側のスライドレール１０を介して配設されており、前方へ摺動した引出位置と後方へ摺動した押入位置とに切り換えられる。このスライドレール１０は、３段式であり、本体側に取り付けられる固定レール１１と、該固定レール１１に摺動自在に嵌合されている第１可動レール１２と、第１可動レールに摺動自在に嵌合されているとともに、後端側を引出体８の対応部に固定している第２可動レール１３とからなる。
【００１６】
以上の引込機構は、形態例のごとく引出体８を引出位置から押入途中まで手動で摺動し、押入途中から最終の押入位置まで付勢力で引き込む場合だと、引込ユニット１が固定レール１１の後端側（図１（ａ）の符号Ｂで示した箇所）に取り付けられ、前記した連結板９が図２（ａ）のごとく第２可動レール１３の後端側に設けられる。
【００１７】
ここで、引込ユニット１は、図１〜図６に示されるように、固定レール１１に取り付けられるケース２と、ケース２内に摺動可能に配置されている保持枠３と、保持枠３内で互いに略直交した状態で作動連結（連携と同じ意味）されているボタン４及びラッチ５と、ラッチ５を第１姿勢である下向きに付勢している付勢部材１５と、保持枠３をケース２の後方へ摺動する付勢手段としてのコイルばね１６と、保持枠３の摺動を制動する制動手段としてのピストン式ダンパー６とを備えている。なお、本発明の引込機構は、例えば、本体７又は固定レール１１に対しケース対応部を形成してケース２を省略することも可能である。
【００１８】
まず、付勢部材１５とコイルばね１６並びにピストン式ダンパー６は汎用品が使用可能である。ピストン式ダンパー６は、シリンダー６ａ及び該シリンダー６ａに緩やかに出没されるピストンロッド６ｂを有し、ピストンロッド６ｂが固定されているシリンダー６ａに対し緩やかに駆動する構成であればよい。
【００１９】
ケース２は、図１〜図３に示されるように、前後方向に細長くなっており、前後略中間より前部分２０に上開口の収納空間２２ａを形成し、前後略中間より後部分２１に下開口の収納空間２２ｂを形成している。
【００２０】
収納空間２２ａは、両側壁部２３，２３及び前端壁部２４並びに下壁部２５により概略区画されている。各側壁部２３には、保持枠３の摺動を案内するガイド溝２３ａが対向して設けられている。前端壁部２４には、内面と外面にフェルト等の緩衝部材１８，１９が装着されているとともに、下面に複数の係合用軸部２４ａが設けられている。内側の緩衝部材１８は保持枠３の衝突を緩和吸収する。外側の緩衝部材１９は第１可動レール１２の対応部の衝突を緩和吸収する。軸部２４ａは、図４に示されるように、固定レール１１に設けられた位置決め兼用の係止孔１１ａに係合する。下壁部２５には、前側にラッチ５の下端を受け入れ可能な矩形状の係合孔２５ａと、後部分２１の少し手前に略コ形のスリット２５ｂで区画形成されている弾性変位部２５ｃとが設けられている。係合孔２５ａは、第１姿勢でラッチ下端と係合してラッチ５を本体側に係止する。弾性変位部２５ｃは、誤作動によりラッチ５が第２姿勢で保持枠３と共に付勢手段１６で引き込まれた状態で、該ラッチ５の上下動を弾性変位を伴って許容、つまり瞬間的に第２姿勢から第１姿勢に切り換えられることにより可動レール１３（引出体８）側の連結板９の連結部９ｂと係合可能にする。
【００２１】
収納空間２２ｂは、上壁部２６と両側壁部２７，２７及び後端壁部２８により概略区画されており、前側が収納部２２ａに通じているとともに、内側の前後部に設けられて幅方向に２分割している分割片部２９ａ，２９ｂと、分割片部２９ａと一方の側壁部２７との間に設けられている係止片部２９ｃとを有している。また、後端壁部２８の下面には、固定レール１１に設けられた不図示の位置決め兼用の係止孔に係合する複数の係合用軸部２８ａが設けられている。なお、固定レール１１の後端部には、軸部２４ａ及び２８ａに対応した係止孔１１ａとともに、ケース２の係合孔２５ａに一致される係合孔１１ｂが設けられている（図４を参照）。また、固定レール１１には、前記した弾性変位部２５ｃの下方への変位を逃がす不図示の開口が設けられている。
【００２２】
保持枠３は、図５に示されるように、両側壁部３０，３１及び上壁部３２で概略コ形状をなし、上壁部３２の後側中間に下設された中間壁部３３を有している。また、上壁部３２には矩形の挿通孔３４が前側中間に設けられている。両側壁部３０，３１には、ケース側のガイド溝２３ａに嵌合する突起３５と、突起３５より前側でシャフト３９を挿通する縦溝３６とがそれぞれ設けられている。また、保持枠３の後側において、図３（ｃ）に示されるように、側壁部３０と中間壁部３３との間にはコイルばね１６の他端１６ｂを係止する係止部３７が設けられ、側壁部３１と中間壁部３３との間にはピストンロッド６ｂの先端を係止する係止部３８とが設けられている。
【００２３】
ボタン４は、前壁部４０及び該前壁部４０の内面両側に突設されている両側壁部４１，４２とからなり、両側壁部４１，４２が保持枠３の前開口から枠内に摺動可能に配置される。前壁部４０は、各側壁部４１，４２に対し一段上方へ突出しており、ボタン４が図６（ｂ）のごとく保持枠３内に摺動されると、保持部３の前縁部に当たって更なる摺動を阻止する。両側壁部４１，４２にはカム溝４３が対向して設けられている。各カム溝４３は、前壁部４０側から離れるに従って次第に上から下にいく傾斜溝となっている。
【００２４】
ラッチ５は、保持枠３の挿通孔３４に出没可能な縦長の小ブロック状をなし、背面に突設されたばね受部５１と、略中央部に設けられて厚さ方向に貫通されている装着孔５２と、上端部を傾斜面に形成した先端爪部５３とを有している。ばね受部５１は、支持軸５１ａを上面に突設している。
【００２５】
（組立）以上のボタン４及びラッチ５は、付勢部材１５であるコイルばね及びシャフト３９と共に保持枠３に組み付けられる。この操作では、例えば、保持枠３に対し図５のごとくボタン４を枠の前開口から挿入した後、ラッチ５を側壁４１と側壁４２との間から枠の挿通孔３４に少し突出する。この場合、ばね受部５１には、付勢部材１５であるコイルばねを支持軸５１ａで支持した状態に保持しておく。この状態から、ボタン４及びラッチ５は、シャフト３９を一方の縦溝３６、一方のカム溝４３、装着孔５２、他方のカム溝４３、他方の縦孔３６に挿通することで、保持枠３に対して互いに作動連結される。
【００２６】
以上の組立体Ａは次のように作動する。通常は、図６（ａ）に示されるごとく、ラッチ５が付勢部材１５により下方向へ付勢されるため、シャフト３９が保持枠３の縦孔３６内においてボタン４をカム溝４３に沿って下方へ摺動しつつ縦溝３６の溝下側へ移動する。換言すると、ラッチ５は、付勢部材１５の付勢力により保持枠３の挿通孔３４内に先端爪部５３を退行した状態で、下端をケース側の係合孔２５ａに係止可能となる（ラッチの第１姿勢）。図６（ｂ）は、ボタン４が前から後方へ押されて摺動された後の状態を示している。このようにボタン４が押されると、シャフト３９が保持枠３の縦孔３６内において、カム溝４３に沿って上摺動しつつ縦溝３６の溝上側へ移動する。換言すると、ラッチ５は、ボタン４の押圧と連動して、先端爪部５３を保持枠３の挿通孔３４より突出した状態で、前記ケース側の係合孔２５ａに対する係止を解除可能となる（ラッチの第２姿勢）。
【００２７】
また、以上の組立体Ａを、ケース２に対してピストン式ダンパー６及びコイルばね１６と共に組み付けると、引込ユニット１として作製される。この操作では、例えば、ケース側の収納空間２２ａに対し組立体Ａを配置し、また、収納空間２２ｂにピストン式ダンパー６及びコイルばね１６を配置した後、組立体Ａとピストン式ダンパー６及びコイルばね１６とが作動連結される。
【００２８】
まず、組立体Ａは、収納空間２２ａに対し保持枠側の各突起３５をケース側の対応するガイド溝２３ａに嵌合した状態に摺動自在に配置される。また、ピストン式ダンパー６は、シリンダー６ａが収納空間２２ｂの一方側に装着されると、ピストンロッド６ｂが収納空間２２ａ側へ配置されるので、ピストンロッド６ｂの先端部を上記した保持枠３の係止部３９に係止する。コイルばね１６は、収納空間２２ｂの他方側に配置されるとともに、一端１６ａを係止片部２９ｃに係止した状態で、他端１６ｂを上記した保持枠３の係止部３７に係止する。これにより、引込ユニット１が完成される。
【００２９】
以上の引込ユニット１は、ガイドレール１０を構成している固定レール１１に取り付けられる。この形態では、上記したケース下面２５の前後部に設けられた係合用軸部２４ａと２８ａを固定レール１１の対応する係止孔１１ａに係合することで、ワンタッチで行うことができる。勿論、引込ユニット１の取付構造は適宜に変更可能である。
【００３０】
また、スライドレール１０としては、この形態の３段式に限られず、固定レールに対し単一の可動レールを摺動する２段式でも差し支えない。何れにせよ、引込機構としては、引込ユニット１が固定レール１１に取り付けられるとともに、連結板９が第２可動レール１３（２段式の場合は固定レールに嵌合している可動レール）に設けられる。第２可動レール１３には、図２（ａ）のごとく取付部１３ａがレール幅より小さな板幅で、レール後端から更に後方へ片状に設けられている。
【００３１】
連結板９は、図４と図６（ｂ）に示されるように、ボタン側前壁部４０に当たる当接部９ａと、ラッチ側先端爪部５３と係脱する連結部９ｂとを一体に形成している。すなわち、当接部９ａは、取付用の後側板部に対し前側板部を一段高くすることにより形成されている。連結部９ｂは、その前側板部に上下貫通した孔状として形成されている。そして、連結板９は、後側板部が第２可動レール１３の取付部１３ａ（図２（ａ）を参照）に適宜な取付手段で取り付けられている。
【００３２】
（作動）以上の引込機構を採用したスライドレール１０は、例えば、図１（ａ）のごとく引出体８が引出位置から押入途中まで固定レール１１に対する第１可動レール１２及び第２可動レール１３のスライドを介して摺動操作される。この途中態様において、引出ユニット１は図１（ｂ）の状態、引出ユニット１と第２可動レール１３との関係は図２及び図４（ａ）の状態となっている。すなわち、連結板側の当接部９ａは第２可動レール１３を介してボタン側前壁部４０の上部に接近している。また、引出ユニット１は、ラッチ５が付勢部材１５の付勢力により保持枠３の挿通孔３４内に先端爪部５３を退行した状態で、ラッチ下端をケース側の係合孔２５ａ及び固定レール側の係合孔１１ｂに係止している（この態様はラッチの第１姿勢である）。なお、図４では第１可動レール１２を省略した。
【００３３】
図４（ｂ）は引出体８が第２可動レール１３を介して押入方向（矢印で示した方向）へ更に少しだけ摺動操作された途中態様を示している。この途中態様では、ボタン４が当接部９ａで押されて前方へ摺動され、ラッチ５が該ボタン４の摺動により縦溝３６及びカム溝４３に嵌合しているシャフト３９を介して付勢部材１５の付勢力に抗して上昇され、固定レール側の係合孔１１ｂに対する係止を解除し、かつ先端爪部５３を連結板９の連結部９ｂに進入する。
【００３４】
図４（ｃ）は引出体８が第２可動レール１３を介して押入方向（矢印で示した方向）へ更に少しだけ摺動操作された後の引込開始態様を示している。この引込開始態様では、ボタン４が当接部９ａに押されて更に前方へ摺動され、ラッチ５が該ボタン４の摺動により縦溝３６及びカム溝４３に嵌合しているシャフト３９を介し、また付勢部材１５の付勢力に抗して更に上昇され、上記したケース側の係合孔２５ａに対する係止を解除し、かつ先端爪部５３を連結板９の連結部９ｂに設計値まで進入して係合する（この態様はラッチの第２姿勢、換言すると引込姿勢である）。
【００３５】
すると、引出体８は、この態様から、保持枠３が第２可動レール側連結板９と係合しているラッチ５と共にコイルばね１６の付勢力により図３に示される最終の押入位置まで引き込まれる。この場合、保持枠３は、両側の突起３５がケース２の対応するガイド溝２３ａに沿って案内される。また、引出体８は、保持枠３がコイルばね１６の付勢力により摺動されるときはピストン式ダンパー６の制動を受けて緩やかに摺動される。
【００３６】
また、引出体８は、引出方向への摺動操作により再び引出位置に切り換えられる。この場合、保持枠３は、コイルばね１６の付勢力に抗して（つまりコイルばね１６に付勢力を蓄積しつつ）第２可動レール側連結板９と係合しているラッチ５と共に引出方向へ摺動され、図４（ｃ）の引込開始態様に達すると、ラッチ５が付勢部材１５の付勢力により下方向へ押される。すると、ラッチ５は、図４（ｂ）から（ａ）の第１姿勢、つまり付勢部材１５の付勢力により保持枠３の挿通孔３４内に先端爪部５３を退行するとともに、ラッチ下端をケース側の係合孔２５ａ及び固定レール側の係合孔１１ｂに係止する。このため、第２可動レール１３は、連結板側の連結部９ｂがラッチ５から係止解除されて、以後は引込ユニット１及びコイルばね１６並びにピストン式ダンパー６と無関係に摺動されることになる。
【００３７】
また、以上の引込ユニット１では、誤作動などにより、ラッチ５が第２可動レール側連結板９（の連結部９ｂ）に係合解除されて引出体８を引き込むことなく、保持枠３と共にコイルばね１６の付勢力により図３に示される最終の押入位置まで摺動される虞がある。この場合は、引出体８を第２可動レール１３を介して最終の押入位置まで摺動操作すると、途中で、ラッチ５が連結板９の先端で下向きに押されて（この形態では、図４から推察されるように、ラッチ側先端爪部５３の傾斜と連結板９の先端の傾斜とが逆テーパーとなっており、ラッチ５が連結板９の前進により該逆テーパーを介して下向きの応力を受ける）、かつ弾性変位部２５ｃの同方向への変位を伴って、第２姿勢から瞬間的に第１姿勢となり、その間に、連結板９が前進されて連結部９ａをラッチ５の真上に位置する。すると、ラッチ５は、弾性変位部２５ｃの復帰により再び付勢部材１５の付勢力に抗して第２姿勢となる。これにより、第２可動レール１３は、図１３に示されるように連結板９を介して引込ユニット１と再び作動連結される。
【００３８】
なお、本発明の引込機構は、請求項１〜６で特定した要件以外はこれを参照して適宜に変更可能なものである。また、本発明の引込機構は、用途的な制約は特になく、例えば、移動体が扉であれば、本体の第１位置は全閉位置又は全開位置であり、逆に、本体の第２位置は全開位置又は全閉位置となる。
【図面の簡単な説明】
【００３９】
【図１】（ａ）は本発明の引込機構の用途例を示し、（ｂ）は引込機構を採用している引込ユニットの概略斜視図である。
【図２】上記引込ユニットをスライドレールと共にラッチの第１姿勢で示し、（ａ）は上面（上記用途例では側面となる）図、（ｂ）は側面図、（ｃ）は下面図である。
【図３】上記引込ユニットをスライドレールと共にラッチの第２姿勢で示し、（ａ）は上面（上記用途例では側面となる）図、（ｂ）は側面図、（ｃ）は下面図である。
【図４】（ａ）〜（ｃ）は上記ラッチの第１姿勢から第２姿勢に切り換えるときの作動を示す模式断面図である。
【図５】本発明の保持枠、ボタン、ラッチ等（組立体）の関係を示す分解図である。
【図６】（ａ）と（ｂ）は上記組立体をラッチの第１姿勢とラッチの第２姿勢で示す模式図である。
【図７】特許文献１の引込機構を説明するための参考図である。
【符号の説明】
【００４０】
１…引込ユニット
２…ケース（２２ａと２２ｂは収納空間、２５ａは係合孔、２５ｃは弾性変位部）
３…保持枠（３４は挿通孔、３５は突起、３６は縦溝、３７と３８は係止部）
４…ボタン（４０は前壁部、４３はカム溝）
５…ラッチ（５１はばね受部、５２は装着孔、５３は先端爪部）
６…ピストン式ダンパー（制動手段、６ａはシリンダー、６ｂはピストンロッド）
７…本体
８…引出体（移動体）
９…連結板（９ａは当接部、９ｂは連結部）
１１…固定レール
１２…第１可動レール
１３…第２可動レール
１５…付勢部材
１６…コイルばね（付勢手段）
３９…シャフト
Ａ…組立体（保持枠にボタン及びラッチを組み付けもの）
【図１】
2008125999.tif 000003
【図２】
2008125999.tif 000004
【図３】
2008125999.tif 000005
【図４】
2008125999.tif 000006
【図５】
2008125999.tif 000007
【図６】
2008125999.tif 000008
【図７】
2008125999.tif 000009